(57)【要約】      （修正有）【課題】ワンタッチで、飼育用柵の扉を閉状態にロックし、またロックを解除できる扉開閉装置を提供する。【解決手段】飼育用柵１０の出入口の両側に位置する各支柱１２，１２の上下二箇所に、開閉扉２０を支持する軸受部１３，１３を設け、開閉扉２０の両側部２１，２１の上下二箇所に、各軸受部１３，１３に対し上から挿入して両側部を支持しまたは一方の側部を支持する支持軸部２２，２２を設け、各支柱１２，１２の上部に、前方下向きに回動させてロック位置で軸受部１３，１３に上から挿入した状態の支持軸部２２，２２を上からロックし、前方上向きに回動させて起立姿勢で支持軸部２２，２２のロック状態を解除するロック片１１０，１１０を回動自在に取り付ける。【選択図】図２
0003175204.tif 000002
【実用新案登録請求の範囲】
【請求項１】
飼育用柵の出入口の両側に位置する各支柱の上下二箇所に、開閉扉を支持する軸受部が設けられ、開閉扉の両側部の上下二箇所に、前記各軸受部に対し上から挿入して両側部を支持しまたは一方の側部を支持する支持軸部が設けられ、前記各支柱の上部に、前方下向きに回動させたロック位置で前記軸受部に上から挿入された状態の支持軸部を上からロックし、前方上向きに回動させた起立姿勢で前記支持軸部のロック状態を解除するロック片が回動自在に取り付けられていることを主要な特徴とする扉開閉装置。
【請求項２】
前記各支柱の上部前面に前記ロック片の支持ブラケットが取り付けられ、ロック片を支持ブラケットに回動自在に支持する軸部材が、ロック片の基端部に対し、ロック片の長手方向と平行な中心線よりも後方寄りの偏心位置に取り付けられ、下向きのロック位置でロック片がその自由端側が後方寄りとなる傾斜姿勢に保持されることを特徴とする請求項１記載の扉開閉装置。
【請求項３】
支持ブラケットの背面部に、起立姿勢のロック片をその自由端側が後方寄りとなる傾斜姿勢に保持するストッパー面が設けられていることを特徴とする請求項１または請求項２記載の扉開閉装置。
【考案の詳細な説明】
【技術分野】
【０００１】
本考案は、豚舎等の畜舎における飼育用柵の扉開閉装置に関するものである。
【背景技術】
【０００２】
図８に畜舎、例えば豚舎の平面図の一例を示す。図に示すように、豚舎１の内部は通路２と飼育空間３に大きく区画され、飼育空間３は床面に通常スノコが敷設されている。また、飼育空間３は飼育用柵（ケージ）４により複数の飼育空間ユニット３Ａ，３Ｂ，３Ｃ・・・に分割され、給餌装置（図示せず）が一定間隔に備えられている。飼育用柵４には各飼育空間ユニット３Ａ，３Ｂ・・・に対応して出入口が一定間隔で設けられ、出入口には開閉扉５が設けられている。
【０００３】
開閉扉５の構造としては、例えば豚舎の出入口に着脱可能に取り付けできる扉（特許文献１参照）が知られている。当該扉は左右いずれに対しても片持ち支持させることが可能となっている。
【先行技術文献】
【特許文献】
【０００４】
【特許文献１】実開平２−６７７４７号公報
【考案の概要】
【考案が解決しようとする課題】
【０００５】
しかしながら、前記特許文献１の扉は、扉を閉じた状態を解除するには鍵を外す必要があり、また、扉を脱着するには（例えば扉を出入方向にあわせて右開きから左開きに変更する）、鍵を外しかつ蝶番軸をそれぞれ一旦引き抜いて再び装着し直す必要があり、操作が非常に煩雑であるという問題があった。
【０００６】
また、通常、豚舎において、飼育柵の扉は着脱可能となっているが、扉の閉状態が確実にロックされていないと、飼育柵内で飼育中の豚が扉に突進する等して扉が緩んだり外れたりして、豚が通路から外へ逃走したり、あるいは外れた扉の一部により飼育中の豚に傷をつけるおそれがあり、商品価値を損なうおそれがあった。
【０００７】
本考案は、上記課題に鑑みてなされたもので、ワンタッチで、飼育用柵の扉を閉状態に確実にロックし、またロックを解除できる扉開閉装置を提供することを目的とする。また、当該ロックおよびその解除状態を目視で容易に認識できる扉開閉装置を提供することを目的とする。
【課題を解決するための手段】
【０００８】
上記課題を解決するために、本考案に係る扉開閉装置は、飼育用柵の出入口の両側に位置する各支柱の上下二箇所に、開閉扉を支持する軸受部を設け、開閉扉の両側部の上下二箇所に、前記各軸受部に対し上から挿入して両側部を支持しまたは一方の側部を支持する支持軸部を設け、前記各支柱の上部に、前方下向きに回動させたロック位置で前記軸受部に上から挿入した状態の支持軸部を上からロックし、前方上向きに回動させた起立姿勢で前記支持軸部のロック状態を解除するロック片を回動自在に取り付けることを主要な特徴とする。
【０００９】
本考案に係る扉開閉装置は、前記各支柱の上部前面に前記ロック片の支持ブラケットを取り付け、ロック片を支持ブラケットに回動自在に支持する軸部材を、ロック片の基端部に対し、ロック片の長手方向と平行な中心線よりも後方寄りの偏心位置に取り付け、下向きのロック位置でロック片をその自由端側が後方寄りとなる傾斜姿勢に保持することを第２の特徴とする。
【００１０】
本考案に係る扉開閉装置は、支持ブラケットの背面部に、起立姿勢のロック片をその自由端側が後方寄りとなる傾斜姿勢に保持するストッパー面を設けることを第３の特徴とする。
【考案の効果】
【００１１】
以上説明したように、本考案に係る扉開閉装置によると、ワンタッチで、ロック片を前方下向きに回動させることにより、ロック位置で開閉扉の支持軸部を上から確実にロックし、これにより開閉扉を確実に閉じ、また、ロック片を前方上向きに起立させることにより、同支持軸部のロック状態を解除して、開閉扉を開動作することができ、これにより、開閉扉が不用意に開いて、飼育柵内の家畜が飼育柵外へ出たり、家畜に傷を付けたりするおそれを無くすことができるという優れた効果を奏する。
【００１２】
また、ロック片は下向きに倒した状態で支持軸部をロックし、上向きに起立させた姿勢で支持軸部のロックを解除するから、支持軸部のロック状態およびその解除状態を通路や遠方からでも目視で容易に認識することができ、作業者による飼育管理が容易となるという優れた効果を奏する。
【図面の簡単な説明】
【００１３】
【図１】本考案に係る扉開閉装置が設置された飼育用柵の一部を示す正面図、
【図２】図１に示す飼育用柵の要部正面図、
【図３】（Ａ）はロック片と支持ブラケットの斜視図、（Ｂ）は支持ブラケットにロック片を組み立てる様子を示す図、
【図４】（Ａ）は扉開閉装置の平面図、（Ｂ）は扉開閉装置の側面図、（Ｃ）は（Ｂ）におけるＡ−Ａ線矢視断面図、
【図５】扉開閉装置の作用を示す要部側面図、
【図６】扉開閉装置の作用を示す要部側面図、
【図７】扉開閉装置の使用状態を示すもので、飼育用柵の一部を示す正面図、
【図８】豚舎の一部を示す平面図である。
【考案を実施するための最良の形態】
【００１４】
以下、本考案の実施の形態を、図面を参照して説明する。
図１ないし図７は本考案の一実施形態を示すもので、図１において、符号１０は飼育用柵、符号２０は開閉扉、符号１００は扉開閉装置を示している。
【００１５】
図１および図２に示すように、飼育用柵１０の出入口１１の両側に位置する各支柱１２，１２には、通路側の上下二箇所に、開閉扉２０を支持する水平断面コ字形形状の軸受部１３，１３が設けられている。なお、上側の軸受部１３は、支柱１２の上面から所定の寸法Ｓだけ下方にオフセットされた位置に設けられている。
【００１６】
一方、開閉扉２０の両側部２１には、前記軸受部１３，１３の高さ位置に対応して、上下二箇所に、前記軸受部１３，１３に対し上から挿入して両側部２１を支持しまたは開閉時に左右一方の側部２１を支持するＬ字形状の支持軸部２２，２２が設けられている。同支持軸部２２は、図２に示すように、開閉扉２０の両側部２１から軸受部１３側へ向けて水平に延びる水平支持部２２Ａと、水平支持部２２Ａの先端から垂直下向きに屈曲し、軸受部１３内に挿入される垂直軸部２２Ｂとから構成されている。
【００１７】
出入口１１の両側に位置する各支柱１２，１２の上部前面には、扉開閉装置１００が取り付けられている。同扉開閉装置１００は、ロック片１１０と、軸部材１２０と、軸部材１２０を介してロック片１１０を支持する支持ブラケット１３０から構成されている。
【００１８】
ロック片１１０は、図３に示すように、断面コ字形状の長尺部材からなり、基端部１１０ａに軸部材１２０のボルト部材１２１を挿通させる貫通孔１１１，１１１が設けられている。支持ブラケット１３０は、図３に示すように、断面コ字形状の部材からなり、両支持片１３１，１３１に軸部材１２０のボルト部材１２１を挿通させる貫通孔１３２，１３２が設けられている。また、支持ブラケット１３０の背面部１３３には切欠部１３３ａが設けられ、切欠部１３３ａの上面にロック片１１０の起立姿勢時に後方への傾斜状態を保持するストッパー面１３３ｂが設けられている。
【００１９】
そして、かかるロック片１１０は、軸部材１２０を介して、支持ブラケット１３０に対し回動自在に取り付けられている。また、支持ブラケット１３０は、前記各支柱１２，１２の上端前面に取り付けられている。これにより、図５および図６に示すように、ロック片１１０の下向きのロック位置で、前記軸受部１３内に上から挿入された状態の開閉扉２０の支持軸部２１を上から押さえてロックし、また、ロック片１１０の上向きの起立姿勢で、前記支持軸部２１のロック状態を解除するようになっている。
【００２０】
軸部材１２０は、ボルト部材１２１およびナット部材１２２からなり、図４（Ｂ）に示すように、ロック片１１０の基端部１１０ａに対し、ロック片１１０の長手方向と平行な中心線Ｌよりも後方寄りの偏心位置（中心線Ｌからの距離ｄ）に貫通孔１１１，１１１を介して回動自在に取り付けられていることにより、図５に示すように、ロック片１１０を矢印のように前方下向きに回動させた後のロック位置（実線）で、ロック片１１０の自由端１１０ｂが軸部材１２０の中心位置よりも後方に位置するように傾斜し、その結果、ロック片１１０による支持軸部２２のロック状態を上から確実に保持できる。同様に、図６に示すように、ロック片１１０を矢印のように前方上向きに回動させた後の起立姿勢（実線）で、ロック片１１０の自由端１１０ｂが軸部材１２０の中心位置よりも後方に位置するように傾斜し、その結果、支持軸部２２のロックの解除状態を確実に保持できる。
【００２１】
開閉扉２０は、図１に示すように、両側部２１，２１の上下二箇所に設けられた支持軸部２２，２２が、出入口１１の両側に立設する支柱１２，１２の上下二箇所に設けられた軸受部１３，１３に上から挿入され支持されることにより、両側部２１，２１が支持され、これにより出入口１１が閉じられるようになっている。そして、両側の扉開閉装置１００，１００のロック片１１０，１１０を、図１に示すように、前方に倒すことにより、開閉扉２０を閉じた状態がロックされるようになっている。また、図７に示すように、いずれか一方のロック片１１０（図７の右側）を回動させて起立姿勢とした状態で、ロックを解除した側の支持軸部２１（図７の右側）を軸受部１３から外すことにより、他方の支持軸部２１（図７の左側）を中心として、片持ち支持された開閉扉２０を回動させ、これにより出入口１１を開くことができるようになっている。
【００２２】
次に、以上のように構成された扉開閉装置１００の使用方法について以下に説明する。
【００２３】
飼育用柵１０の出入口１１において、開閉扉２０の両側部の上下二箇所の支持軸部２１，２１の各垂直軸部２１Ｂ，２１Ｂが、両側の支柱１２，１２の上下二箇所の軸受部１３，１３に対し上から挿入されて支持された状態で、当該開閉扉２０の閉状態をロックするには、両側の支柱１２，１２の上端に取り付けられた扉開閉装置１００のロック片１１０，１１０を図５の矢印方向に前方に倒して、下向きのロック位置まで回動させるようにする。
【００２４】
左右のロック片１１０，１１０をワンタッチで前方に倒すだけで、図２および図５に示すように、下向きの各ロック片１１０の先端が開閉扉２０側の支持軸部２２，２２を上から押さえ、これにより開閉扉２０の閉状態を確実にロックする。しかも、各ロック片１１０は、図５に示すように、先端部１１０ｂが後方を向く傾斜姿勢をとるから、前述のロックをより確実にし不意にロックが解除されるおそれがない。したがって、飼育用柵１０内の飼育豚が開閉扉２０に突進等して、支持軸部２２，２２が上に抜けようとしても上からロック片１１０により押さえられ、開閉扉２０が開いたり外れる心配がなく、また、その結果、飼育豚が開閉扉２０の突起物（支持軸部２１）で怪我したり傷が付いたりする心配もなくなる。
【００２５】
左右のロック片１１０，１１０のうちいずれか一方を片手で持ち上げて起立姿勢とし、一方のロック状態を解除することにより、図８の通路の右側に対して開閉扉２０を点線のように開け、あるいは図８の左側に対して開閉扉２０を開けることができる。
【００２６】
左右いずれの場合も、通路幅に対し開閉扉２０の幅寸法が略同一かそれ以上であることにより、通路の左側に対し開閉扉２０を開けた場合には通路の右側を遮断し、通路の右側に対し開閉扉２０を開けた場合には通路の左側を遮断し、飼育豚を円滑に誘導することができる。
【００２７】
本実施形態の扉開閉装置１００によれば、次のような効果を奏する。
（１）両方のロック片１１０，１１０のワンタッチ操作により、開閉扉２０の閉状態を容易にロックし、また同ロック状態を容易に解除できる。したがって、作業者が開閉扉２０の開閉作業を容易に行える。
（２）下向きのロック片１１０のロック位置でロック片１１０の先端部１１０ｂが後方を向く傾斜姿勢となり、上向きのロック片１１０の起立姿勢でロック片１１０の先端部１１０ｂが後方を向く傾斜姿勢となるから、ロック状態およびロックの解除状態を確実なものとする。したがって、例えば、下向きのロック片１１０のロックが不用意に解除されたり、あるいは起立姿勢のロック片１１０が不用意に前方に回動して、ロック片１１０をもう一度起立させるといった二度手間を生じさせることがない。
（３）下向きロック位置のロック片１１０や、上向き起立姿勢のロック片１１０を作業者が通路側や遠方から目視で容易に認識することができ、したがって、開閉扉２０のロック片１１０による確実なロックを遠方から確実に認識し、あるいは起立状態のロック片１１０から、開閉扉２０のロック忘れを容易に認識して速やかに対処できる。これにより、作業者による飼育管理を容易なものとすることができる。
【００２８】
かくして、本考案によれば、ワンタッチで、飼育用柵の開閉扉を閉状態にロックし、またロックを容易に解除できる扉開閉装置を実現することができる。
【００２９】
なお、上記実施形態では、豚舎の飼育用柵の例について述べたが、飼育用柵は豚舎に限らない。また、本考案の扉開閉装置は、動物園や牧場における柵の扉や、ドッグラン等の競技場における柵の扉に対しても適用可能である。
【産業上の利用可能性】
【００３０】
本考案に係る扉開閉装置は、ワンタッチで、飼育用柵の開閉扉を閉状態にロックし、またロックを解除できる装置として、利用可能である。
【符号の説明】
【００３１】
１  豚舎
２  通路
３  飼育空間
３Ａ，３Ｂ，３Ｃ  飼育空間ユニット
４，１０  飼育用柵
５，２０  扉
１１  出入口
１２  支柱
１３  軸受部
２１  側部
２２  支持軸部
２２Ａ  水平支持部
２２Ｂ  垂直軸部
１００  扉開閉装置
１１０  ロック片
１１０ａ  基端部
１１０ｂ  先端部
１１１，１３２  貫通孔
１２０  軸部材
１２１  ボルト部材
１２２  ナット部材
１３０  支持ブラケット
１３１  支持片
１３３  背面部
１３３ａ  切欠部
１３３ｂ  ストッパー面
Ｌ  ロック片の長手方向と平行な中心線
ｄ  ロック片の中心線から軸部材の取付中心位置までの距離
Ｓ  支柱上面と上側の軸受部までの寸法
【図１】
0003175204.tif 000003
【図２】
0003175204.tif 000004
【図３】
0003175204.tif 000005
【図４】
0003175204.tif 000006
【図５】
0003175204.tif 000007
【図６】
0003175204.tif 000008
【図７】
0003175204.tif 000009
【図８】
0003175204.tif 000010